(57)【要約】【課題】着信鳴動の遅れに起因した発信側ユーザの待ちを従来に増して抑制した電話端末及び着信鳴動制御方法を提供する。【解決手段】電話端末２０は、基準時刻情報と同期を取った時刻情報に基づき着信鳴動周期の同期を取る着信鳴動周期同期手段３３１と、着信鳴動周期に対して着信鳴動周期よりも短い時刻間隔で割当られた着信鳴動を開始するための複数の着信鳴動開始時刻を記憶する着信鳴動開始時刻記憶手段１００と、着信通知を受信したときに、着信通知の受信時刻に近い次の着信鳴動開始時刻を着信鳴動開始時刻記憶手段１００から選択する着信鳴動開始時刻選択手段３３２と、着信鳴動開始時刻選択手段で選択された着信鳴動開始時刻から着信鳴動を実行する着信鳴動実行手段３３３とを備える。【選択図】図２
2016012747.tif 000002
【特許請求の範囲】
【請求項１】
主装置と前記主装置に複数の電話端末を接続した電話装置に用いられる前記電話端末であって、
前記電話端末は、
基準時刻情報と同期を取った時刻情報に基づき着信鳴動周期の同期を取る着信鳴動周期同期手段と、
前記着信鳴動周期に対して前記着信鳴動周期よりも短い時刻間隔で割当られた着信鳴動を開始するための複数の着信鳴動開始時刻を記憶する着信鳴動開始時刻記憶手段と、
着信通知を受信したときに、前記着信通知の受信時刻に近い次の着信鳴動開始時刻を着信鳴動開始時刻記憶手段から選択する着信鳴動開始時刻選択手段と、
前記着信鳴動開始時刻選択手段で選択された着信鳴動開始時刻から着信鳴動を実行する着信鳴動実行手段と、を備えることを特徴とする電話端末。
【請求項２】
前記電話端末は、親機と前記親機と無線によって通信される子機からなり、
前記親機及び前記子機は、前記着信鳴動周期同期手段と、前記着信鳴動開始時刻記憶手段と、前記着信鳴動開始時刻選択手段と、前記着信鳴動実行手段とを備えることを特徴とする請求項１に記載の電話端末。
【請求項３】
前記着信鳴動実行手段は、着信鳴動開始時の音量を小さくし、所定の時刻が経過したところで通常の着信鳴動音の音量に到達するように徐々に音量を大きくする制御を行うことを特徴とする請求項１又は請求項２に記載の電話端末。
【請求項４】
主装置と前記主装置に複数の電話端末を接続した電話装置に用いられる電話端末であって、
前記電話端末は、
基準時刻情報と同期を取った時刻情報に基づき着信鳴動周期の同期を取る着信鳴動周期同期手段と、
前記着信鳴動周期に対して前記着信鳴動周期よりも短い時刻間隔で割当られた着信鳴動を開始するための複数の着信鳴動開始時刻を記憶する着信鳴動開始時刻記憶手段と、
着信通知を受信したときに、前記着信通知の受信時刻に近い次の着信鳴動開始時刻を着信鳴動開始時刻記憶手段から選択する着信鳴動開始時刻選択手段と、
前記着信鳴動開始時刻選択手段で選択された着信鳴動開始時刻から再生するための複数の着信鳴動音ファイルと、
前記着信鳴動音ファイルを再生する着信鳴動再生手段と、を備えることを特徴とする電話端末。
【請求項５】
主装置と前記主装置に複数の電話端末を接続した電話装置に用いられる前記電話端末の着信鳴動制御方法であって、
前記電話端末が、
基準時刻情報と同期を取った時刻情報に基づき着信鳴動周期の同期を取る着信鳴動周期同期ステップと、
前記着信鳴動周期に対して前記着信鳴動周期よりも短い時刻間隔で割当られた着信鳴動を開始するための複数の着信鳴動開始時刻を記憶する着信鳴動開始時刻記憶ステップと、
着信通知を受信したときに、前記着信通知の受信時刻に近い次の着信鳴動開始時刻を着信鳴動開始時刻記憶ステップで記憶した着信鳴動開始時刻から選択する着信鳴動開始時刻選択ステップと、
選択された着信鳴動開始時刻から着信鳴動を実行する着信鳴動実行ステップと、を実行することを特徴とする着信鳴動制御方法。
【発明の詳細な説明】
【技術分野】
【０００１】
本発明は、電話端末及び着信鳴動制御方法、特に、ビジネスホンに収容される電話端末及び電話端末の着信鳴動制御方法に関する。
【背景技術】
【０００２】
複数の外線と内線を切り替えて使用可能なビジネスホンの分野では、主装置に複数の電話端末が接続されており、グループ着信や一斉着信が発生すると、接続されている複数の電話端末に対して同時に着信を通知する。各電話端末は、この着信通知を受けることにより着信鳴動を開始する。
【０００３】
このため、各電話端末は、主装置から送信される着信通知の受信が遅れると着信鳴動を開始するタイミングがずれ、その結果、鳴動音がばらばらになってしまう。この状態は、周囲のユーザに非常に耳障りである。
【０００４】
例えば、特許文献１に、着信信号の同期ずれを生じないようにすることができる電話端末の技術が記載されている。特許文献１に記載された技術によれば、各電話端末は、時刻同期した時刻情報を備え、かつ、同じ着信鳴動パターンを記憶している。そして、各電話端末は、鳴動パターンの音の開始位置を時刻情報に基づいて定め、着信を検知すると、自端末の着信鳴動パターンの開始位置から着信鳴動を開始する。
【０００５】
この動作について、図６を参照して説明すると以下のようになる。図６は、主装置に、電話端末Ａ、Ｂが接続され、いずれも着信の鳴動設定が、「２秒鳴動した後１秒無鳴動」になっている。すなわち、着信鳴動音の周期（以下、着信鳴動周期ともいう）は、３秒／周期である。
【０００６】
図６によれば、電話端末Ａが、着信鳴動周期のタイミング１と２との間で着信コマンドを受信し、電話端末Ｂが着信鳴動周期のタイミング２と３との間で着信コマンドを受信した場合を示している。電話端末Ａは、タイミング２から着信鳴動を開始し、電話端末Ｂは、タイミング３から着信鳴動を開始する。すなわち、電話端末Ａ、Ｂは、主装置からその着信通知を受信したときに、その着信通知を受信したタイミングが本来着信鳴動を開始すべき時間からずれていた場合、次の鳴動開始周期まで待機し、次の着信鳴動を開始すべき時刻に到達したとき着信鳴動を開始している。したがって、着信通知を受信したタイミングが電話端末ごとにずれていたとしても着信鳴動時刻を一致させることができる。
【０００７】
しかしながら、特許文献１に開示された技術によれば、電話端末Ａの鳴動開始に対して、電話端末Ｂの着信が遅れると電話端末Ｂは、次の着信鳴動開始タイミングまで着信鳴動開始を待機するため、場合によっては、最大３秒弱の着信通知の受信が遅れることなる。このような着信鳴動開始の遅延は、着信側ユーザが着信を知るまで時間を要し、その結果、発信側ユーザを待たせることになり好ましくない。
【０００８】
さらに、電話端末が主に繁がる親機と親機に無線接続された子機の場合、親機から送信される制御コマンドのやり取りや、電波状況によって、有線の電話端末より子機は、着信通知が遅れやすく、着信鳴動の遅れが発生し易やすい。
【先行技術文献】
【特許文献】
【０００９】
【特許文献１】特開２００５−０３３６１３号公報
【発明の概要】
【発明が解決しようとする課題】
【００１０】
本発明は、上記事情に鑑みなされたものであり、着信鳴動の遅れに起因した発信側ユーザの待ちを従来に増して抑制した電話端末及び着信鳴動制御方法を提供することを目的とする。
【課題を解決するための手段】
【００１１】
上記課題を解決するため、本発明の電話装置及び着信鳴動制御方法は、以下のような解決手段を提供する。
【００１２】
（１）本発明に係る電話端末は、主装置と前記主装置に複数の電話端末を接続した電話装置に用いられる前記電話端末であって、前記電話端末は、基準時刻情報と同期を取った時刻情報に基づき着信鳴動周期の同期を取る着信鳴動周期同期手段と、前記着信鳴動周期に対して前記着信鳴動周期よりも短い時刻間隔で割当られた着信鳴動を開始するための複数の着信鳴動開始時刻を記憶する着信鳴動開始時刻記憶手段と、着信通知を受信したときに、前記着信通知の受信時刻に近い次の着信鳴動開始時刻を着信鳴動開始時刻記憶手段から選択する着信鳴動開始時刻選択手段と、前記着信鳴動開始時刻選択手段で選択された着信鳴動開始時刻から着信鳴動を実行する着信鳴動実行手段と、を備えることを特徴とする。
【００１３】
（２）本発明の電話端末は、（１）に記載の電話端末であって、前記電話端末は、親機と前記親機と無線によって通信される子機からなり、前記親機及び前記子機は、前記着信鳴動周期同期手段と、前記着信鳴動開始時刻記憶手段と、前記着信鳴動開始時刻選択手段と、前記着信鳴動実行手段とを備えてもよい。
【００１４】
（３）本発明の電話端末は、（１）又は（２）に記載の電話装置であって、前記着信鳴動実行手段は、着信鳴動開始時の音量を小さくし、所定の時刻が経過したところで通常の着信鳴動音の音量に到達するように徐々に音量を大きくする制御を行ってもよい。
【００１５】
（４）本発明の別の態様に係る電話端末は、主装置と前記主装置に複数の電話端末を接続した電話装置に用いられる電話端末であって、前記電話端末は、基準時刻情報と同期を取った時刻情報に基づき着信鳴動周期の同期を取る着信鳴動周期同期手段と、前記着信鳴動周期に対して前記着信鳴動周期よりも短い時刻間隔で割当られた着信鳴動を開始するための複数の着信鳴動開始時刻を記憶する着信鳴動開始時刻記憶手段と、着信通知を受信したときに、前記着信通知の受信時刻に近い次の着信鳴動開始時刻を着信鳴動開始時刻記憶手段から選択する着信鳴動開始時刻選択手段と、前記着信鳴動開始時刻選択手段で選択された着信鳴動開始時刻から再生するための複数の着信鳴動音ファイルと、前記着信鳴動音ファイルを再生する着信鳴動再生手段と、を備えることを特徴とする。
【００１６】
（５）本発明の別の態様に係る電話端末の着信鳴動制御方法は、主装置と前記主装置に複数の電話端末を接続した電話装置に用いられる前記電話端末の着信鳴動制御方法であって、前記電話端末が、基準時刻情報と同期を取った時刻情報に基づき着信鳴動周期の同期を取る着信鳴動周期同期ステップと、前記着信鳴動周期に対して前記着信鳴動周期よりも短い時刻間隔で割当られた着信鳴動を開始するための複数の着信鳴動開始時刻を記憶する着信鳴動開始時刻記憶ステップと、着信通知を受信したときに、前記着信通知の受信時刻に近い次の着信鳴動開始時刻を着信鳴動開始時刻記憶ステップで記憶した着信鳴動開始時刻から選択する着信鳴動開始時刻選択ステップと、選択された着信鳴動開始時刻から着信鳴動を実行する着信鳴動実行ステップと、を実行することを特徴とする。
【発明の効果】
【００１７】
本発明によれば、着信鳴動の遅れに起因した発信側ユーザの待ちを従来に増して抑制した電話端末及び着信鳴動制御方法を提供することができる。
【図面の簡単な説明】
【００１８】
【図１】本発明の実施形態に係る電話端末を備えた電話システムの接続構成図である。
【図２】本発明の実施形態に係る電話端末の構成を示す機能ブロックを示す図である。
【図３】着信鳴動の時刻同期を説明するために引用した図である。
【図４】本発明の第１実施形態の着信応答処理を示す動作シーケンス図である。
【図５】本発明の第２実施形態の着信応答処理を示す動作シーケンス図である。
【図６】従来の着信鳴動の時刻同期を説明するために引用した図である。
【発明を実施するための形態】
【００１９】
以下、添付図面を参照して、本発明を実施するための形態（以下、本実施形態という）について詳細に説明する。なお、本実施形態の説明の全体を通して同じ要素には同じ番号を付している。
【００２０】
（実施形態の構成）
図１は、本実施形態に係る電話システムの接続構成図である。図１に示すように、本実施形態の電話システム１は、主装置１０と、主装置1０に接続された複数の電話端末２０（電話装置）と、ゲートウェイ５０とにより主に構成される。電話端末２０は、親機３０（３０ａ〜３０ｎ）と親機３０（３０ａ〜３０ｎ）と無線によって通信される子機４０（４０ａ〜４０ｎ）を備えている。複数の親機３０のそれぞれは、ＬＡＮ８０に接続され、このＬＡＮ８０を通じて主装置１０に接続されている。なお、電話端末２０の中には親機３０だけのものがある場合がある。また、主装置１０と親機３０との接続はＬＡＮ接続でなくてもよい。
【００２１】
ゲートウェイ５０は、複数回線分の電話回線を介して、インターネット網６０や公衆電話網７０に接続されると共に、主装置１０に接続される。公衆電話網７０は、例えばＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、専用回線などを含む。
【００２２】
このゲートウェイ５０は、電話端末２０からの発信番号に応じて、インターネット網６０あるいは公衆電話網７０と、この電話システム１とを接続するための機能を備える中継管理装置の役割を果たすものであり、連続音声信号とＩＰ音声パケットの相互変換や、ＩＰ音声パケットの主装置１０とのやり取り、さらに、電話番号とＩＰアドレスとの相互変換を行う。
【００２３】
主装置１０は、電話システム１内におけるゲートウェイ５０や複数の電話端末２０の交換管理、電話番号とＩＰアドレスの対応付けなどを行い、これに登録された複数個の電話端末２０による複数の電話回線を利用した電話通信を管理する機能を有する交換管理装置の役割を果たす。
【００２４】
上述した電話端末２０のそれぞれは、外線電話や内線電話をかけたり受けたりすることができる。そして、電話端末２０のそれぞれは、自機に着信があったときには、ユーザにその着信を通知するために鳴動する。なお、電話端末２０のそれぞれにおいては、外線着信の鳴動パターンは同じである。
【００２５】
次に図２の機能ブロック図に参照して、本実施形態に係る電話端末の構成を説明する。なお、親機３０と子機４０は、略同様の構成であるため、特に断らない限り、親機３０を元に説明する。図２に示すように、親機３０は、システムバスを介して、時計回路部３１と、通信部３２と、制御部３３と、記憶部３４とから構成される。
【００２６】
時計回路部３１は、着信鳴動などの正確な制御を行うための時刻情報を提供するものである。そして、時計回路部３１は、正確な時刻を提供するために、主装置１０から定期的に送られてくる時刻合わせ信号を受信することによって、時計回路の時刻を主装置１０の基準時刻情報と同期を取るように補正が行われている。
【００２７】
具体的には、主装置１０が時刻合わせ信号を送信し、その信号は、ＬＡＮ経由で通信部３２を介して親機３０に伝達され、さらに、その信号は、通信部３２を介して親機３０から子機４０に無線で伝達される。そして、親機３０ならびに子機４０は、その時刻合わせ信号に基づいて時計回路部３１の時刻の補正を行う。
【００２８】
このため、各親機３０及び各子機４０の時刻情報は、主装置１０のもつ基準時刻情報と一致するように同期が取られ、この結果、各親機３０及び各子機４０の時計回路部３１が提供する時刻情報も同期が取れたものになっている。
【００２９】
主装置１０は、自身が時計回路を有しており、その自身の時計回路の時刻情報を基準時刻情報としてもよく、例えば、ＮＴＰサーバ（Ｎｅｔｗｏｒｋ  Ｔｉｍｅ  Ｐｒｏｔｏｃｏｌ）を用いたネットワーク時刻同期システムを利用して正確な時刻を取得し、この取得した時刻情報を基に基準時刻情報してもよい。
【００３０】
なお、時刻合わせ処理は、時計回路の精度が高ければ、１時間に１回、数時間に１回、１日に１回、数日に１回など適宜のタイミングで行うようにすればよい。
【００３１】
制御部３３は、実装されたマイクロプロセッサと記憶部３４に記憶されたプログラムからなる。そして、記憶部３４に記憶されたプログラムをマイクロプロセッサが逐次読み出しを実行することで、制御部３３は、着信鳴動周期同期部（着信鳴動周期同期手段）３３１と、着信鳴動開始時刻選択部（着信鳴動開始時刻選択手段）３３２と、着信鳴動実行部（着信鳴動実行手段）３３３と、着信鳴動再生部（着信鳴動再生手段）３３４とを実現する。
【００３２】
着信鳴動周期同期部３３１は、時計回路部３１の時刻情報に基づき、着信鳴動周期の同期を取る。すなわち、着信鳴動周期同期部３３１は、時計回路部３１からの現在時刻に基づいて、着信鳴動周期の同期を取る。
【００３３】
図３（ａ）に示すように着信鳴動周期同期部３３１は、例えば、1周期２秒の着信鳴動周期の鳴動パターンを生成し、この着信鳴動周期に対して、着信鳴動周期よりも短い時刻間隔で割当られた着信鳴動を開始するための複数の着信鳴動開始時刻が割り当てられている。例えば、図３（ｂ）に示すように、２秒の着信鳴動周期に対して、均等の時刻間隔で１〜１３まで着信鳴動開始時刻が割り当てられる。この割り当てられた着信鳴動開始時刻は記憶部３４の着信鳴動開始時刻テーブル１００（図２参照）に記憶される。
【００３４】
図２に示す、着信鳴動開始時刻選択部３３２は、主装置１０から着信通知を受信したときに、着信通知の受信時刻に近い次の着信鳴動開始時刻を着信鳴動開始時刻テーブル（着信鳴動開始時刻記憶手段）１００から選択する。例えば、図３（ｃ）は、電話端末Ａが着信鳴動周期のタイミング２と３との間で着信コマンドを受信し、電話端末Ｂが着信鳴動周期のタイミング３と４との間で着信コマンドを受信した場合の例を示している。電話端末Ａ、Ｂは、着信鳴動周期よりも短い時刻間隔で割当られた着信鳴動開始時刻（本例では、１３分割）を参照し、着信通知の受信時刻に近い次の着信鳴動開始時刻を選択する。すなわち、電話端末Ａはタイミング３を選択し、電話端末Ｂはタイミング４を選択する。また、タイミング２〜６の間で着信があった場合は、音量の高い７のタイミングから鳴動するように選択してもよい。このようにすることで、分割されたタイミングで鳴動するときに生じる違和感を軽減できる。
【００３５】
そして、着信鳴動実行部３３３は、着信鳴動開始時刻選択部３３２で選択された着信鳴動開始時刻から着信鳴動を実行する。なお、この着信鳴動の開始時に、着信鳴動実行部３３３は、着信鳴動開始時の音量を小さくし、所定の時刻（例えば、着信鳴動周期の末尾）経過したところで通常の着信鳴動音の音量に到達するように徐々に音量を大きくする制御を行うようにしてもよい。このように制御すると、鳴動する瞬間の違和感をさらに軽減することが可能となる。
【００３６】
着信鳴動再生部３３４は、主装置１０から着信を受信後、着信鳴動開始時刻選択部３３２で選択された着信鳴動開始時刻から着信鳴動を開始する。なお、着信鳴動音声ファイルは、着信鳴動音記憶領域２００に記憶されている。この着信鳴動音ファイルについては、後ほど説明する。
【００３７】
（第１実施形態）
図４は、本発明の第１実施形態の着信応答処理を示す動作シーケンス図である。まずは、着信前の動作処理から説明する。図４に示すように、主装置１０は、定期的にＮＴＰサーバ等から基本時刻情報を取得し、その基本時刻情報に基づき自装置の時刻同期を行なう（ステップＳ１０１）。各電話端末２０（親機３０、子機４０）の時計回路部３１は、定期的に主装置１０から時刻情報を取得し、他の電話端末２０との間で時刻情報を一致させる（ステップＳ１０２、Ｓ１０３）。
【００３８】
次に、親機３０及び子機４０は、制御部３３に内蔵される着信鳴動周期同期部３３１により、同期した時刻情報に基づき、着信鳴動周期の同期を取る（ステップＳ１０４、Ｓ１０５）。そして、着信鳴動周期に対して着信鳴動周期よりも短い時刻間隔で割当てられた着信鳴動を開始させるための複数の着信鳴動開始時刻を記憶部３４の着信鳴動開始時刻テーブル１００に記憶する（ステップＳ１０６、Ｓ１０７）。
【００３９】
次に、着信後の動作処理について説明する。外部から着信を検出する（ステップＳ１０８）と、主装置１０は、親機３０に対して着信時に必要な情報（例えば、ＬＣＤ制御、ランプ制御、通話パス制御、ＬＥＤ情報、リンガ情報等）を送信する（ステップＳ１０９）。上記情報を受信した親機３０の制御部３３は、通信部３２を介して、無線通信により、子機へ同様の情報を送信する（ステップＳ１１０）。
【００４０】
着信通知を受信した親機３０及び子機４０の着信鳴動開始時刻選択部３３２は、着信鳴動開始時刻テーブル１００を参照し、着信通知の受信時刻に近い次の着信鳴動開始時刻を選択する（ステップＳ１１１、Ｓ１１２）。例えば、図３（ｃ）の場合、電話端末Ａの着信鳴動開始時刻選択部３３２は、着信鳴動開始時刻テーブル１００を参照し、着信通知の受信時刻に近い次の着信鳴動開始時刻として時刻３を選択する。一方、電話端末Ｂの着信鳴動開始時刻選択部３３２は、着信鳴動開始時刻テーブル１００を参照し、着信通知の受信時刻に近い次の着信鳴動開始時刻として時刻４を選択する。
【００４１】
次に、親機３０及び子機４０の着信鳴動実行部３３３は、着信鳴動開始時刻選択部３３２で選択された着信鳴動開始時刻から着信鳴動を実行する（ステップＳ１１３、Ｓ１１４）。詳細には、着信鳴動実行部３３３は、着信鳴動開始時刻選択部３３２で選択された着信鳴動開始時刻に基づき、着信鳴動音ファイルの着信鳴動開始時刻に対応した音声位置から着信鳴動音ファイルの再生を実行する。
【００４２】
上記の構成により、鳴動音がばらばらになってしまうことがなく、かつ、各電話端末間での着信鳴動の開始遅れを従来技術と比較して、さらに、抑制することが出来る。
【００４３】
（第２実施形態）
第１実施形態では、着信鳴動音記憶領域２００に１つの着信鳴動音ファイルを有している。一方、第２実施形態では、複数の着信鳴動音ファイルが記憶されている。より具体的には、図３（ｃ）を例にすると、着信鳴動音記憶領域２００に記憶されている着信鳴動音ファイルには、時刻間隔で割当られた着信鳴動開始時刻とのタイミングに対応した音声データ（本例では、１３つ）を有している。
【００４４】
第２実施形態では、図５に示すように、ステップＳ２０１〜ステップ２１２の着信応答処理は、図４に示すステップＳ１０１〜ステップ１１２と同様の動作を行う。以下、着信受信後からの処理（ステップＳ２０８）から説明する。
【００４５】
外部から着信を検出する（ステップＳ２０８）と、主装置１０は、親機３０に対して着信時に必要な情報（例えば、ＬＣＤ制御、ランプ制御、通話パス制御、ＬＥＤ情報、リンガ情報等）を送信する（ステップＳ２０９）。上記情報を受信した親機３０の制御部３３は、通信部３２を介して、無線通信により、子機へ同様の情報を送信する（ステップＳ２１０）。
【００４６】
着信通知を受信した親機３０及び子機４０の着信鳴動開始時刻選択部３３２は、着信鳴動開始時刻テーブル１００を参照し、着信通知の受信時刻に近い次の着信鳴動開始時刻を選択する（ステップＳ２１１、Ｓ２１２）。
【００４７】
次に、親機３０及び子機４０の着信鳴動再生部３３４は、着信鳴動開始時刻選択部３３２で選択された着信鳴動開始時刻に対応する着信鳴動音ファイルを着信鳴動音記憶領域２００から取得し、その取得した着信鳴動音ファイルを再生する（ステップＳ２１５、Ｓ２１６）する。
【００４８】
例えば、図３（ｃ）の場合、電話端末Ａの着信鳴動再生部３３４は、着信鳴動音記憶領域２００に記憶されている複数の着信鳴動音ファイルの中から時刻３に対応した着信鳴動音ファイルを取得し、その取得した着信鳴動音ファイルを再生する。一方、電話端末Ｂの着信鳴動再生部３３４は、着信鳴動音記憶領域２００に記憶されている複数の着信鳴動音ファイルの中から時刻４に対応した着信鳴動音ファイルを取得し、その取得した着信鳴動音ファイルを再生する。
【００４９】
上記の構成により、鳴動音がばらばらになってしまうことがなく、かつ、各電話端末間での着信鳴動の開始遅れを従来技術と比較して、さらに、抑制することが出来る。
【００５０】
（実施形態の効果）
以上説明のように本実施形態の電話端末及び着信鳴動制御方法によれば、電話端末２０において、着信の鳴動が重なった場合であっても、電話端末２０のそれぞれからの着信の鳴動の同期ずれが生じないようにし、着信の鳴動の同期ずれによって、着信の鳴動がる耳障りとなることがなく、従来の電話システムと比較して、着信鳴動が遅れることが防止される。
【００５１】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５２】
１  ：電話システム
１０  ：主装置
２０  ：電話端末
３０  ：親機
３１  ：時計回路部
３２  ：通信部
３３  ：制御部
３４  ：記憶部
４０  ：子機
５０  ：ゲートウェイ
６０  ：インターネット網
７０  ：公衆電話網
８０  ：ＬＡＮ
１００：着信鳴動開始時刻テーブル（着信鳴動開始時刻記憶手段）
２００：着信鳴動音記憶領域
３３１：着信鳴動周期同期部（着信鳴動周期同期手段）
３３２：着信鳴動開始時刻選択部（着信鳴動開始時刻選択手段）
３３３：着信鳴動実行部（着信鳴動実行手段）
３３４：着信鳴動再生部（着信鳴動再生手段）
【図１】
2016012747.tif 000003
【図２】
2016012747.tif 000004
【図３】
2016012747.tif 000005
【図４】
2016012747.tif 000006
【図５】
2016012747.tif 000007
【図６】
2016012747.tif 000008